(57)【要約】      （修正有）【課題】釣り糸を切れにくくしたドラッグワッシャを提供する。【解決手段】ドラグ機構に設けられた摩擦部材と摺擦するドラグプレートに、釣魚用リールのスプール軸が挿し通される軸孔部８と、ドラグプレートの、摩擦部材と摺擦する摺擦面に設けられた複数の穴と、が設けられた。複数の穴は潤滑油を保持する。【選択図】図１
2020054286.tif 000002
【特許請求の範囲】
【請求項１】
釣魚用リールのドラグ機構を構成するドラグワッシャであって、
前記釣魚用リールのスプール軸に対して回転可能な環状のプレートであって、前記ドラグ機構に設けられた摩擦部材と摺擦する環状のプレートを有し、
前記環状のプレートは、
前記釣魚用リールのスプール軸が挿し通され、該スプール軸の外径よりも大きな内径を有する軸孔部と、
前記環状のプレートの、前記摩擦部材と摺擦する摺擦面に配置され、潤滑油を装填される複数の穴と、
を有することを特徴とするドラグワッシャ。
【請求項２】
前記複数の穴は複数の同心円上に略均一に配置されていることを特徴とする請求項１に記載のドラグワッシャ。
【請求項３】
前記複数の穴は、複数の貫通孔を含むことを特徴とする請求項２に記載のドラグワッシャ。
【請求項４】
前記ドラグワッシャは、前記ドラグ機構に設けられた繊維素材のドラグワッシャと置換可能なドラグワッシャであることを特徴とする請求項１ないし３のいずれか一項に記載のドラグワッシャ。
【請求項５】
請求項１ないし４のいずれか一項に記載のドラグワッシャを有することを特徴とする釣魚用リール。
【請求項６】
釣魚用リールのドラグ機構であって、
ドラグワッシャと、
前記ドラグワッシャの第一面と接触するように配置される第一部材と、
前記ドラグワッシャの第二面と接触して摺動するように配置される第二部材と、を有し、
前記ドラグワッシャは、
前記釣魚用リールのスプール軸に対して回転可能な環状のプレートであって、前記第二部材と摺擦する環状のプレートを有し、
前記環状のプレートは、
前記釣魚用リールのスプール軸が挿し通され、該スプール軸の外径よりも大きな内径を有する軸孔部と、
前記環状のプレートの、前記第二部材と摺擦する摺擦面に配置され、潤滑油を装填される複数の穴と、
を有し、
前記ドラグワッシャが前記第一部材と前記第二部材とに挟持されることで前記複数の穴が閉空間を形成し、当該閉空間に前記潤滑油が保持され、前記ドラグ機構が作動すると、当該潤滑油が、前記ドラグワッシャと前記第二部材との摺動面に供給されることを特徴とするドラグ機構。
【請求項７】
摩擦部材に対して回転しながら摺擦する回転機構用のワッシャであって、
摩擦部材と摺擦する環状のプレートを有し、
前記環状のプレートは、
軸が挿し通され、該軸の外径よりも大きな内径を有する軸孔部と、
前記環状のプレートの、前記摩擦部材と摺擦する摺擦面に配置され、潤滑油を装填される複数の穴と、
を有することを特徴とするワッシャ。
【発明の詳細な説明】
【技術分野】
【０００１】
本発明はドラグワッシャ、ドラグ機構、および釣魚用リールに関する。
【背景技術】
【０００２】
釣魚用リールのドラグ機構は、針にかかった魚が釣り糸を引っ張ったり、釣り人が合わせを入れたりする（竿やリールを急激に動かす）ことで釣り糸が切れてしまうことを抑制するために、ほぼすべてのリールに搭載されている。一般にドラグ機構はスプールとともに回転可能なディスクと、スプール軸に固定されスプールとともには回転しない摩擦部材（制動板）とを有している。とりわけ、特許文献１、２、４によれば摩擦面がフラットなドラグワッシャが提案されている。特許文献５の図３も摩擦面が相互にフラットなドラグワッシャとライニングワッシャを示している。特許文献３によれば、ベースプレートに摩擦面としてライニング層を設け、ライニング層に摩耗粉の逃げ溝を設けることが提案されている。特許文献４は制動板に軽量化のための孔部を設けることが記載されている。
【先行技術文献】
【特許文献】
【０００３】
【特許文献１】特開２００２−０００１４７号公報
【特許文献２】特開２００８−１８７９６１号公報
【特許文献３】特開２０１０−２５９３７９号公報
【特許文献４】特開２０１５−２０８２８４号公報
【特許文献５】特開２０１５−１４２５２４号公報
【発明の概要】
【発明が解決しようとする課題】
【０００４】
特許文献１、２、５のドラグワッシャはシンプルな構成であるが、隣接した他のワッシャとの接触面積が大きいためこれらが貼りついてしまい、ドラグとしての機能を果たさないことがあった。特許文献３のドラグワッシャはベースプレートにライニング層を設け、ベースプレートに溝を設けずに、ライニング層に溝を設ける必要がり、複雑な製造工程が必要となってしまう。特許文献４は、制動板に孔部を設けることで軽量化を図れることを記載しているが、回転可能なワッシャはフラットであり、孔部を設けられていない。
【０００５】
ところで近年は、ほとんどのドラグワッシャとしてグリスを浸潤させた繊維素材のワッシャが採用されている。繊維素材のワッシャは簡易な構造であり、フラットなドラグワッシャやライニング層を採用したドラグワッシャと比較してドラグの効きはじめにおいてドラグ機構が滑らかに作動するため、釣り糸が切れにくいという利点がある。
【０００６】
しかし、繊維素材のワッシャでも釣り糸が切れてしまう局面があった。一般に、釣り糸は細ければ細い程、魚が釣糸を認識できなくなるため、魚を釣りやすくなる。しかし、釣り糸は細ければ細い程、切れやすくなる。さらに、魚が一定の力で釣り糸を引っ張っているときは繊維素材のワッシャでも釣り糸が切れてしまうことは少ない。しかし、魚が急激に反転したり、暴れたりすると、瞬間的に大きな力が釣り糸に加わり、釣り糸が切れてしまう（図９参考）。したがって、さらに釣り糸が切れにくいドラグワッシャが望まれている。そこで、本発明は、釣り糸を切れにくくしたドラッグワッシャを提供することを目的とする。
【課題を解決するための手段】
【０００７】
本発明によれば、たとえば、
釣魚用リールのドラグ機構を構成するドラグワッシャであって、
前記釣魚用リールのスプール軸に対して回転可能な環状のプレートであって、前記ドラグ機構に設けられた摩擦部材と摺擦する環状のプレートを有し、
前記環状のプレートは、
前記釣魚用リールのスプール軸が挿し通され、該スプール軸の外径よりも大きな内径を有する軸孔部と、
前記環状のプレートの、前記摩擦部材と摺擦する摺擦面に配置され、潤滑油を装填される複数の穴と、
を有することを特徴とするドラグワッシャが提供される。
【発明の効果】
【０００８】
本発明によれば釣り糸を切れにくくしたドラッグワッシャが提供される。
【図面の簡単な説明】
【０００９】
【図１】ドラグ機構を説明する図
【図２】ドラグワッシャを説明する図
【図３】ドラグワッシャを説明する図
【図４】ドラグワッシャを説明する図
【図５】ドラグワッシャを説明する図
【図６】ドラグワッシャを説明する図
【図７】ドラグワッシャを説明する図
【図８】ドラグワッシャを説明する図
【図９】実験結果を示す図
【発明を実施するための形態】
【００１０】
リールの構造とドラグ機構の構造は当業界において良く知られているため、これらは簡潔に説明される。ドラグワッシャはスピニングリールだけでなく、ベイトキャスティングリールなどの様々な釣魚用リールに採用可能であるが、以下では一例としてスピニングリールについて説明される。
【００１１】
図１はスピニングリールのドラグ機構を示している。スプール１は糸巻部を有し、釣り糸が巻かれる。通常、スプール１はローターに対して上下運動するだけで、回転しないが、ドラグ機構が作動することによりスプール１も回転する。スプール１が回転すると、スプール１に巻かれている釣り糸が魚に引っ張られて放出される。スプール１は略円筒状であり、先端側中央には凹部１３が設けられている。この凹部１３の中央にはスプール軸が挿し通されている。スプール軸の先端付近には、スプールボールベアリング５と、断面矩形の軸部６と、ネジ部７とが設けられている。スプールボールベアリング５はスラストベアリングであってもよい。ドラグ機構を構成するドラグワッシャ２の中央には円形の軸孔部８が設けられている。軸孔部８にスプール軸が挿し通されるが、軸孔部８はスプールボールベアリング５が嵌装される。なお、軸孔部８の内径は、スプール軸の内径よりも大きいため、ドラグワッシャ２はスプール軸に対して回転可能である。なお、スプールボールベアリング５は、スプール１の凹部１３の中央に設けられ、円筒形のカップに保持されていてもよい。この場合、スプールボールベアリング５と、ドラグワッシャ２の内周面との間には、カップが位置することになる。なお、このカップは省略されてもよい。ドラグディスク３はドラグワッシャ２と摺擦する摩擦部材である。ドラグディスク３の中央には矩形の軸孔９が設けられている。軸孔９には断面矩形の軸部６が嵌装される。よって、ドラグディスク３はスプール軸に固定され回転不可能に保持される。ドラグノブ４は、中央にネジ穴を有して、ネジ部７に螺合する。これにより、ドラグディスク３およびドラグワッシャ２は、ドラグノブ４とスプール１とに挟持される。ドラグノブ４の締め具合によってドラグ機構の効き具合が変化する。ドラグノブ４を締めると、ドラグノブ４とスプール１とによる挟持力が増大し、ドラグノブ４を緩めるとドラグノブ４とスプール１とによる挟持力が低下する。このように、ドラグノブ４はドラグ機構の効き具合を調節する調節体として機能する。
【００１２】
なお、ドラグディスク３は省略されてもよいし、多板化されてもよい。ドラグワッシャ２も多板化されてもよい。多板化が採用される場合、基本的にドラグワッシャ２とドラグディスク３とは交互に配置される。上記のドラグワッシャ２を、より薄い複数枚のドラグワッシャにより構成してもよい。たとえば、ドラグワッシャ２をＮ枚のドラグワッシャで構成する場合、一枚当たりのドラグワッシャの厚みは１／Ｎとなる。
【００１３】
ドラグワッシャ２は、繊維素材のドラグワッシャと置換可能なドラグワッシャである。つまり、現在のところ釣魚用リールにはグリスを浸潤させた繊維素材のドラグワッシャ２が採用されることが一般的であるが、この繊維素材のドラグワッシャ２は、本実施例では図２ないし図７に例示されるようなドラグワッシャ２と置換される。
【００１４】
図２はドラグワッシャ２の詳細を示している。環状のプレート１０はスプール軸に対して回転可能な樹脂製のプレートである。プレート１０の素材は金属製であってもよいが、プレート１０を樹脂製とすることでより滑らかにドラグ機構が作動する。また、樹脂製のプレート１０は、金属製のプレート１０と比較して固着しにくい上に、ドラグ機構の微調整がしやすい。なお、ドラグディスク３と比較してドラグワッシャ２は摩耗しやすい素材が採用されてもよい。つまり、ドラグディスク３の交換頻度と比較して、ドラグワッシャ２の交換頻度が多くなる。つまり、ユーザは、ドラグワッシャ２を交換することで、ドラグ機構の効き具合を維持しやすくなる。樹脂製のプレート１０は金属製のプレート１０と比較して加工の面でも有利である。プレート１０は、スプール軸が挿し通され、該スプール軸の外径よりも大きな内径を有する軸孔部８を有する。さらに、プレート１０は、ドラグディスク３やスプール１と摺擦する摺擦面に配置され、滴下された潤滑油を装填可能な複数の穴１２ａ〜１２ｃを有している。つまり、複数の穴１２ａ〜１２ｃは、滴下された潤滑油を保持する。より詳しくは、複数の穴１２ａ〜１２ｃは、たとえば円筒形の空間を確定する。また、この空間は凹部１３の底面と、ドラグディスク３とによってふたをされ、円柱状の閉空間となる。この円柱状の閉空間に潤滑油が保持される。潤滑油は、ドラグディスク３とドラグワッシャ２との摺擦運動を補助する。なお、ドラグ機構が作用すると、ドラグディスク３に対してドラグワッシャ２およびスプール１が回転する。これにより、複数の穴１２ａ〜１２ｃに保持されている潤滑油が、ドラグディスク３とドラグワッシャ２との摺擦面や、凹部１３とドラグワッシャ２との摺擦面に供給され、ドラグ機構を滑らかに作動させる。また、これらの摺擦面に保持されていた潤滑油が複数の穴１２ａ〜１２ｃに掻き取られて戻ってくることもあろう。
【００１５】
複数の穴１２ａ〜１２ｃはプレート１０上において均一に配置されていればよい。図２では、複数の穴１２ａ〜１２ｃは複数の同心円上に略均一に配置されていてもよい。複数の穴１２ａは第一の同心円１１ａ上に配置された第一穴群である。複数の穴１２ｂ、１２ｃは第二の同心円１１ｂ上に配置された第二穴群である。
【００１６】
図２ないし図７が示すように、複数の穴１２ａ〜１２ｃの形状は円形、四角形、楕円形などであってもよい。ただし、プレート１０に亀裂を入りにくくするには円形や楕円形が適している。複数の穴１２ａ〜１２ｃの形状は角丸四角形であってもよい。
【００１７】
複数の穴１２ａ〜１２ｃの大きさを大きくすればするほど、ドラグ機構の作動が滑らかになり、釣り糸が切れにくくなる。ただし、複数の穴１２ａ〜１２ｃの大きさを大きくしすぎると、プレート１０が割れやすくなる。よって、複数の穴１２ａ〜１２ｃの大きさや数と、プレート１０の強度とはトレードオフの関係にある。
【００１８】
穴１２ａのように、同一の同心円状にある穴のサイズは等しくてもよい。また、穴１２ｂ、１２ｃのように、同一の同心円状にある穴のサイズが異なってもよい。これは、複数の穴１２ａ〜１２ｃの配置が概ね均一であればよいからである。
【００１９】
図３が示すように、第三の同心円１１ｃ上にも複数の穴１２ｄが設けられてもよい。つまり、穴が設けられる同心円の数は一以上であればよい。
【００２０】
図４が示すように、楕円形の穴１２ｅが採用されてもよい。この場合に穴１２ｅは均一に配置される。
【００２１】
図５はレーザ刻印により掘られた穴１２ｆを示している。このように穴１２ｆは文字であってもよい。
【００２２】
図６が示すように、矩形の穴１２ｇ、１２ｈが採用されてもよい。この場合に穴１２ｇ、１２ｈはそれぞれ対応する円周上において均一に配置される。
【００２３】
図７が示すように、概ね矩形の穴１２ｉ、１２ｊが採用されてもよい。この場合に穴１２ｉ、１２ｊはそれぞれ対応する円周上において均一に配置される。穴１２ｉは概ね角丸四角形である。ただし、穴１２ｉは円周に沿って曲がっている。穴１２ｊも円周に沿って曲がっている。
【００２４】
複数の穴１２ａないし１２ｊは貫通していない穴や溝であってもよいし、貫通孔であってもよい。貫通孔は、直径が同じである限り、底のある溝や凹部よりもより多くの潤滑油を保持できる利点がある。ドラグワッシャ２の摺擦面とドラグディスク３の摺擦面とがそれぞれ穴を有しない場合、二つの摺擦面間に保持される潤滑油の量は少量となる。また、ドラグワッシャ２の回転により発生する遠心力により潤滑油がドラグワッシャ２の内周側から外周側に移動し、摺擦面間の潤滑油が減少する。一方で、本願発明によれば、複数の穴１２ａないし１２ｆが潤滑油を保持しているため、保持されている潤滑油が摺擦面間に補充される。よって、本願発明は、ドラグの効き具合が長い期間にわたって維持されやすい。
【００２５】
複数の穴１２ａないし１２ｊにはゼリー状（固体状または半固体状）のグリスが練り込まれてもよいが、液体状の潤滑油を装填されると、ドラグ機構がより滑らかに作動し、釣り糸が切れにくくなる。
【００２６】
複数の同心円のうち一つの同心円に配置される穴１２ａないし１２ｊの数は５つ以上であってもよい。この場合、他の同心円に配置される穴１２ａないし１２ｊの数は二つ以上であってもよい。また、複数の穴１２ａないし１２ｊの数は一つの同心円につき少なくとも５つ以上であってもよい。ただし、この数は、加工性とドラグ機構の効き具合、およびプレート１０の強度との関係から、１６個程度が好ましいであろう。もちろん、複数の穴１２ａないし１２ｊの数はより多くてもよい。
【００２７】
以上の実施例ではドラグワッシャ２が複数の穴を有しているが、その代わりにドラグディスク３が複数の穴１２ａないし１２ｊを有してもよい。
【００２８】
ドラグワッシャ２の外径は、たとえば、２５．０ｍｍであり、内径は１０．５ｍｍであってもよい。ドラグワッシャ２の外径は、たとえば、２０．７ｍｍであり、内径は１２．０ｍｍであってもよい。ドラグワッシャ２の外径や内径はリールの番手に依存する。ドラグワッシャ２の内径は、少なくともスプールボールベアリング５の外径より若干大きくされる。ドラグワッシャ２の外径は、スプール１の凹部内で回転可能な程度の外径とされればよい。また、ドラグワッシャ２の厚みは０．８ｍｍ前後であってもよいが、基本的には置換される繊維素材のドラグワッシャの厚みが基準となろう。なお、外径に対する厚みの割合（厚み／外径）は０．０２から０．０５までの範囲が基本となろう。内径に対する厚みの割合（厚み／内径）は０．０４から０．１０までの範囲が基本となろう。
【００２９】
以上の実施例では釣魚用リール向けのドラグワッシャが説明された。しかし、ドラグワッシャは、回転体の回転を規制ないしは補助するためのワッシャ（座金）として転用されてもよい。つまり、ドラグワッシャは釣魚用途とは異なる回転機構用のワッシャとして採用されてもよい。回転機構用のワッシャは、回転機構用の摩擦部材に対して回転しながら摺擦するワッシャである。
【００３０】
図１が示すように、ドラグワッシャ２の厚みはほぼ均一であり、ドラグディスク３の厚みもほぼ均一である。これは、接触面積を稼ぐためと、ドラグ機構をコンパクトにするためである。
【００３１】
図８（Ａ）が示すように複数の穴１２ａ、１２ｂに加えて溝１４が設けられていてもよい。溝１４は、環状のプレート１０の一周にわたって掘られていてもよいが、一部は掘られていらなくてもよい。つまり、点線のように溝１４が存在していてもよい。
【００３２】
図８（Ｂ）が示すように、楕円の穴１２ｅの長辺の延在する方向は、環状のプレート１０の半径方向でなくてもよい。この例では、穴１２ｅの長辺方向はいずれも同じ方向である。
【００３３】
図８（Ｃ）が示すように、複数の楕円の穴１２ｅは、それぞれ異なるサイズであってもよい。
【００３４】
図８（Ｄ）が示すように、角丸長方形の穴１２ｉの延在する方向は、環状のプレート１０の半径方向でなくてもよい。この例では、穴１２ｉの延在方向はいずれも同じ方向である。なお、角丸長方形の穴１２ｉは単一の円周上に存在しているが、角丸長方形の穴１２ｉの数は５つ以上であればよい。
【００３５】
図８（Ｅ）が示すように、複数の穴１２ａ、１２ｂは環状のプレート１０の半分の領域において均一に配置されていてもよい。これは、ドラグ機構が作動したときに、隣り合った二つの穴１２ａ間の距離ごとにクリック感が生じるだけでなく、環状のプレート１０が半周するごとにクリック感が生じることになる。環状のプレート１０が半周するごとに生じるクリック感を好むユーザには、図８（Ｅ）に示されたような複数の穴１２ａ、１２ｂの配置が採用されてもよい。
【００３６】
複数の穴１２ａ等の形状は、さらに、三角形や五角形などの多角形や星形などであってもよい。複数の穴１２ａ等は、らせん状に配置されてもよい。
【００３７】
図８（Ｆ）が示すように、穴１２ａは直線状に均一に配置されていてもよい。
【００３８】
複数の穴１２ａ等はレーザ加工により穿孔されて入れもよいが、複数の穴１２ａの一部は凹部であってもよい。凹部は、たとえば、エンボス加工によって生成されてもよい。
【００３９】
発明者は、市販のリールを用いてノーマルのドラグワッシャ（フェルトにグリスを染み込ませたもの）と、図２に示された本実施例のドラグワッシャ２とについて実験を行った。いずれもドラグチェッカーが２００ｇを指したときにドラグ機構が作動する（スプール１が回転し始める）ようにドラグノブ４が設定されている。発明者は、スプール１に巻かれた釣り糸をゆっくりと一定の力で引っ張ることで、魚が釣り糸を引っ張る一般的な第一状況を模擬した。つまり、第一状況ではドラグ機構に対して緩やかに負荷がかかる。また、発明者は、スプール１に巻かれた釣り糸を急激に強い力で引っ張ることで、魚が急激に釣り糸を引っ張ったり、または、釣り人が釣竿を煽ったり、もしくはリールのハンドルを急激に巻く、いわゆる「合わせ」を入れたりする第二状況を模擬した。つまり、第二状況ではドラグ機構に対して緩やかに負荷がかかる。
【００４０】
図９（Ａ）はノーマルドラグについての実験結果を示すグラフである。実線は第二状況において釣り糸にかかる力をドラグチェッカーで計測することで得られた値を示している。破線は第一状況において釣り糸にかかる力をドラグチェッカーで計測することで得られた値を示している。図９（Ａ）の破線が示すように、一般的な状況であれば、釣り糸が切れる前にドラグ機構が作動する。しかし、実線が示すように、急激に大きな力が釣り糸に作用すると、釣り糸にかかる力が限界強度（一点鎖線）を突破し、釣り糸が切れてしまう。
【００４１】
図９（Ｂ）は実施例のドラグワッシャ２についての実験結果を示すグラフである。破線が示すように、一般的な魚の動きを模擬した第一状況でもドラグ機構が滑らかに動作するため、釣り糸には大きな力が作用せず、釣り糸は切れない。さらに、実線が示すように、釣り糸に瞬間的に大きな力が作用する第二状況でもドラグ機構がすぐに作動するため、釣り糸が切れることはなかった。
【００４２】
よって、本実施例のドラグワッシャ２は、繊維素材のドラグワッシャと比較して、釣り糸が切れにくいことがわかった。
【００４３】
本実施例の釣魚用リールのドラグ機構は、
ドラグワッシャ２と、
ドラグワッシャ２の第一面と接触するように配置される第一部材（例：スプール１の凹部１３）と、
ドラグワッシャ２の第二面と接触して摺動するように配置される第二部材（例：ドラグディスク３）と、を有する。
【００４４】
ドラグワッシャ２は、
釣魚用リールのスプール軸に対して回転可能な環状のプレート１０であって、第二部材と摺擦する環状のプレート１０を有してもよい。
【００４５】
環状のプレート１０は、
釣魚用リールのスプール軸が挿し通され、該スプール軸の外径よりも大きな内径を有する軸孔部８と、
環状のプレート１０の、第二部材と摺擦する摺擦面に配置され、潤滑油を装填される複数の穴１２と、
を有してもよい。
【００４６】
ドラグワッシャ２が第一部材と第二部材とに挟持されることで複数の穴が閉空間を形成し、当該閉空間に潤滑油が保持され、ドラグ機構が作動すると、当該潤滑油が、ドラグワッシャと第二部材との摺動面に供給される。これにより、釣り糸に対して急激に負荷がかかっても釣り糸が切れにくくなる。閉空間は、完全に密閉された閉空間である必要は無く、ドラグ機構が作動していない状態であれば、潤滑油が漏れにくい程度の閉空間であればよいだろう。
【符号の説明】
【００４７】
１...スプール、２...ドラグワッシャ２...ドラグディスク、４...ドラグノブ、７...スプール軸の先端のネジ部、８...軸孔、１２ａ〜１２ｊ...穴、
【図１】
2020054286.tif 000003
【図２】
2020054286.tif 000004
【図３】
2020054286.tif 000005
【図４】
2020054286.tif 000006
【図５】
2020054286.tif 000007
【図６】
2020054286.tif 000008
【図７】
2020054286.tif 000009
【図８】
2020054286.tif 000010
【図９】
2020054286.tif 000011